(57)【要約】【課題】コンピュータ本体に対して開閉自在に枢支されたディスプレイハウジングを開いた状態、閉じた状態のいずれにおいても、音声を楽しむことができることは勿論、限られたスペースを有効に利用したスピーカ及び音声発生部を確保して良質な音声を発生させることができる情報機器を提供することにある。【解決手段】コンピュータ本体２と、表示パネルを備えるとともに本体２に開閉可能に連結されたディスプレスユニット４と、本体２の内部に設けられたスピーカ１３と、本体２にスピーカ１３と対向して設けられ、ディスプレスユニット４を開いたとき露出する音声出力用の第１の開口部１５と、ディスプレスユニット４の表裏面に互いに対向して設けられ、ディスプレスユニット４を閉じたとき第１の開口孔１５と対向する音声出力用の第２及び第３の開口孔２０，２４とを具備したことを特徴とする。【選択図】  図１
2005100043.tif 000002
【特許請求の範囲】
【請求項１】
第１の筐体と、
前記第１の筐体に回動可能に連結され、該第１の筐体に重ねることが可能な第２の筐体と、
前記第１の筐体の内部に設けられたスピーカと、
前記第１の筐体に設けられ、前記スピーカと対向する音声出力用の第１の開口部と、
前記第２の筐体の表裏面に互いに対向して設けられ、該第２の筐体を前記第１の筐体に対して重ねたとき前記第１の開口部と対向する音声出力用の第２及び第３の開口部と、
を具備したことを特徴とする情報機器。
【請求項２】
前記第１の筐体に対して第２の筐体が開閉可能に枢支され、前記第２の筐体を開いた第１の形態のとき、前記スピーカの音声が第１の開口部から出力され、前記第２の筐体を閉じた第２の形態のとき、前記スピーカの音声が第１の開口部から第２及び第３の開口部を通過して出力されることを特徴とする請求項１記載の情報機器。
【請求項３】
前記第２の筐体は、前記第１の筐体に対して枢支部を中心として反転可能で、前記第２の筐体の一方の面を前記第１の筐体に対して重ねる第１の形態と、第２の筐体の他方の面を前記第１の筐体に対して重ねる第２の形態が可能であり、前記第１と第２のいずれの形態においても第１の開口部に対して第２及び第３の開口部とが対向することを特徴とする請求項１記載の情報機器。
【請求項４】
本体部と、
表示パネルを備えるとともに前記本体部に開閉可能に連結された表示部と、
前記本体部の内部に設けられたスピーカと、
前記本体部に前記スピーカと対向して設けられ、前記表示部を開いたとき露出する音声出力用の第１の開口部と、
前記表示部の表裏面に互いに対向して設けられ、該表示部を閉じたとき前記第１の開口部と対向する音声出力用の第２及び第３の開口部と、
を具備したことを特徴とする情報機器。
【請求項５】
前記スピーカ及び第１の開口部は、前記本体部の左右対称位置にそれぞれ配置されていることを特徴とする請求項４記載の情報機器。
【請求項６】
前記第２及び第３の開口部は、前記表示部の左右対称位置にそれぞれ配置されていることを特徴とする請求項４または５記載の情報機器。
【発明の詳細な説明】
【技術分野】
【０００１】
この発明は、機器本体にスピーカボックスを備え、テレビの音声を発生させたり、コンパクトディスクをセットして音声を再生して楽しむことができるパーソナルコンピュータ等の情報機器に関する。
【背景技術】
【０００２】
ポータブルコンピュータ等の情報機器において、機器本体にスピーカボックスを備え、テレビの音声を発生させたり、コンパクトディスクをセットして音声を再生して楽しむことができるものが普及している。
【０００３】
ポータブルコンピュータは、キーボードを有するコンピュータ本体と、このコンピュータ本体にヒンジによって開閉自在に枢支されたＬＣＤユニットを有するディスプレイユニットとから構成され、コンピュータ本体の上面の一部にスピーカボックスが設けられている。
【０００４】
一方、ポータブルコンピュータは、携帯に便利なように、筐体の薄型化、軽量化のため、筐体の内部には各種電子部品が密集して配置されており、スピーカボックスも限られたスペースに配置されている。
【０００５】
例えば、パーソナルコンピュータにおいて、コンピュータ本体と、このコンピュータ本体に対してディスプレイユニットを開閉自在に枢支するヒンジ部の内側にスピーカボックスを設け、このスピーカボックスを覆うカバーに音声出力孔を設けたものが知られている（例えば、特許文献１参照。）。
【０００６】
また、コンピュータ本体の上面におけるヒンジ側で、しかもコンピュータ本体の左右両端部に偏った位置に、コンピュータ本体の上面及び側面に連続した開口部を設け、この開口部にスピーカボックスを設けて上方及び側方から音声が出力するようにしたものが知られている（例えば、特許文献２参照。）。
【０００７】
さらに、コンピュータ本体のヒンジ部を覆うトップカバーの内部にスピーカボックスを設け、トップカバーの円弧面に多数のスピーカ孔を設け、音声が出力するようにしたものが知られている（例えば、特許文献３参照。）。
【０００８】
前述した特許文献１〜３は、いずれもポータブルコンピュータで、コンピュータ本体に対して開閉自在に枢支されたディスプレイユニットを開いた状態、閉じた状態のいずれにおいても、音声出力部が露出し、テレビの音声を発生させたり、コンパクトディスクをセットして音声を再生して楽しむことができるように構成されている。
【特許文献１】特開平１０−７８８３１号公報（図１及び特許請求の範囲）
【特許文献２】特開２００１−１００８６２号公報（図１、図２及び特許請求の範囲）
【特許文献３】特開２００２−１８２７８４号公報（図１、図２及び特許請求の範囲）
【発明の開示】
【発明が解決しようとする課題】
【０００９】
ところで、特許文献１は、ディスプレイユニットを開閉自在に枢支するヒンジ部の内側にスピーカボックスを設けているため、音出面を広くしようとすると、ヒンジ部が大きくなる。ヒンジ部が大きくなると、ディスプレイユニットにヒンジ部を逃げる切欠部が大きくなるため、ＬＣＤユニットを上方へずらして配置する必要がある。
【００１０】
特許文献２は、コンピュータ本体の上面及び側面から音声が出力されるように構成されているが、ディスプレイユニットを閉じたときは、コンピュータ本体の側方のみ音声が出力されるため、ディスプレイユニットを閉じたとき音響効果が低い。
【００１１】
特許文献３は、コンピュータ本体のヒンジ部を覆うトップカバーの内部にスピーカボックスを設けているため、トップカバーが大型化し、特にディスプレイユニットを閉じたときに、多数のスピーカ孔を有したトップカバーが大きく露出する構造であるため、コンピュータ本体及びディスプレイユニットが大型化するという問題がある。
【００１２】
この発明は、前記事情に着目してなされたもので、その目的とするところは、コンピュータ本体等の第１の筐体に対して開閉自在に枢支されたディスプレイユニット等の第２の筐体を開いた状態、閉じた状態のいずれにおいても、音声を楽しむことができる情報機器を提供することにある。
【課題を解決するための手段】
【００１３】
この発明は、前記目的を達成するために、第１の筐体と、前記第１の筐体に回動可能に連結され、該第１の筐体に重ねることが可能な第２の筐体と、前記第１の筐体の内部に設けられたスピーカと、前記第１の筐体に設けられ、前記スピーカと対向する音声出力用の第１の開口部と、前記第２の筐体の表裏面に互いに対向して設けられ、該第２の筐体を前記第１の筐体に対して重ねたとき前記第１の開口部と対向する音声出力用の第２及び第３の開口部とを具備したことを特徴とする情報機器にある。
【００１４】
また、本体部と、表示パネルを備えるとともに前記本体部に開閉可能に連結された表示部と、前記本体部の内部に設けられたスピーカと、前記本体部に前記スピーカと対向して設けられ、前記表示部を開いたとき露出する音声出力用の第１の開口部と、前記表示部の表裏面に互いに対向して設けられ、該表示部を閉じたとき前記第１の開口部と対向する音声出力用の第２及び第３の開口部とを具備したことを特徴とする情報機器にある。
【００１５】
前記構成によれば、本体部に対して表示部を開いたとき、本体部に設けられたスピーカからの音声が第１の開口部から出力し、表示部を閉じたとき、第１の開口部と対向する第２及び第３の開口部を介して音声が出力される。
【発明の効果】
【００１６】
この発明によれば、コンピュータ本体等の第１の筐体に対して開閉自在に枢支されたディスプレイハウジング等の第２の筐体をを開いた状態、閉じた状態のいずれにおいても、音声を楽しむことができるという効果がある。
【発明を実施するための最良の形態】
【００１７】
以下、この発明の各実施の形態を図面に基づいて説明する。
【００１８】
図１〜図４は第１の実施形態を示し、図１は情報機器としてのポータブルコンピュータのディスプレイハウジングを開いた状態の斜視図、図２はポータブルコンピュータのディスプレイハウジングを閉じた状態の斜視図、図３は図１のＡ部を拡大し、ＬＣＤマスクを取り除いた状態の斜視図、図４は図２のＢ−Ｂ線に沿う断面図である。
【００１９】
図１及び図２に示すように、ポータブルコンピュータ１は、第１の筐体（本体部）としてのコンピュータ本体２と、このコンピュータ本体２にヒンジ３によって回動可能に支持された第２の筐体（表示部）としてのディスプレイユニット４とから構成されている。コンピュータ本体２は、扁平な箱状の筐体５を有しており、この筐体５は、上部開口の角皿状のベース６と、このベース６の上部開口を覆う平板状のカバー７とから構成されている。
【００２０】
カバー７の上面にはパームレスト８、キーボード取付け部９が設けられ、キーボード取付け部９にはキーボード１０が設けられている。前記ヒンジ３は左右一対からなり、ベース６に固定された下部ヒンジ部材１１とディスプレイユニット４に固定された上部ヒンジ部材１２とをヒンジ軸（図示しない）によって回動自在に連結することにより構成されている。
【００２１】
図３及び図４に示すように、左右一対のヒンジ３の近傍で、コンピュータ本体２のカバー７の下側にはスピーカ１３が設けられている。従って、スピーカ１３はコンピュータ本体２の左右両端部に対称的に配置されている。このスピーカ１３はカバー７の下面にブラケット１４を介して固定されているが、ベース６に固定してもよく、音声発生部を上向きにして取付けられている。スピーカ１３の音声発生部に対向するカバー７には第１の開口部としての円形の第１の開口孔１５が設けられ、この第１の開口孔１５の開口縁には一段低い段差部１５ａが設けられている。そして、この段差部１５ａには第１の開口孔１５を閉塞するスピーカネット１６が接着剤等によって接着固定されている。
【００２２】
また、前記ディスプレイユニット４は、外側のＬＣＤカバー１７と、このＬＣＤカバー１７の内部に設けられた表示部としてのＬＣＤユニット１８及びこのＬＣＤユニット１８の内側の外周縁部を覆うＬＣＤマスク１９とから構成されている。
【００２３】
ディスプレイユニット４のヒンジ３側におけるＬＣＤマスク１９で、コンピュータ本体２に対してディスプレイユニット４を閉じたときにスピーカ１３の第１の開口孔１５と対向する箇所には第２の開口部としての第２の開口孔２０が設けられている。この第２の開口孔２０は横方向に長い矩形薄肉部２１に多数の小孔２２を穿設することにより構成され、ＬＣＤマスク１９の内面には第２の開口孔２０を閉塞するようにフェルトシート２３が貼着されている。このフェルトシート２３は第２の開口孔２０から塵埃がディスプレイユニット４の内部に侵入するのを防止するとともに、内部が目視できないようになっている。
【００２４】
さらに、第２の開口孔２０に対向するＬＣＤカバー１７には例えば単一の小孔からなる第３の開口部としての第３の開口孔２４が設けられている。この第３の開口孔２４は、前記ヒンジ３の上部ヒンジ部材１２の補強リブ２５を避けた位置に設けられている。第３の開口孔２４は、ＬＣＤカバー１７の外面側に設けられた一段低い段差部２６に開口しており、この段差部２６には化粧パネル２７が埋設状態に取付けられている。化粧パネル２７には第３の開口孔２４と対向する開口窓２８が設けられ、さらに化粧パネル２７と段差部２６との間には第３の開口孔２４を閉塞するフェルトシート２９が貼着されている。このフェルトシート２９は第３の開口孔２４から塵埃がディスプレイユニット４の内部に侵入するのを防止するとともに、内部が目視できないようになっている。
【００２５】
このように構成されたポータブルコンピュータ１によれば、コンピュータ本体２に対してヒンジ３を支点としてディスプレイユニット４を開いたとき（第１の形態）には、第１の開口孔１５のスピーカネット１６が露出する。また、ディスプレイユニット４を閉じたとき（第２の形態）には、第１の開口孔１５に対して第２の開口孔２０と第３の開口孔２４とが一直線上に対向する。
【００２６】
従って、ディスプレイユニット４を開き、ＬＣＤユニット１８のテレビ映像を観察しながら第１の開口孔１５から出力されるテレビの音声を聴取できる。また、ディスプレイユニット４を閉じても第１の開口孔１５に対して第２の開口孔２０と第３の開口孔２４とが一直線上に対向するため、スピーカ１３から出力される音声が第１の開口孔１５から第２の開口孔２０及び第３の開口孔２４を介して出力されるため、コンパクトディスクからの音声を再生して楽しむことができる。
【００２７】
また、ディスプレイユニット４を閉じたとき、第１の開口孔１５に対してディスプレイユニット４のデッドスペースを利用して設けた第２の開口孔２０と第３の開口孔２４とが一直線上に対向する。従って、第１の開口孔１５から第３の開口孔２４まで途中に障害物が存在しないため、スピーカ１３から出力される音声が障害物に反射されることはなく、良質なスピーカの音を楽しむことができる。また、デザイン的にも、ＬＣＤカバー１７の外面の一部に設けられた化粧パネル２７の小さな開口窓２８だけであり、スピーカネット等が露出しない構造である。
【００２８】
なお、第１の実施形態においては、コンピュータ本体２にヒンジ３を介してディスプレイユニット４を開閉自在に構成したポータブルコンピュータ１について説明したが、この発明は、パーソナルコンピュータ１に限定されるものではなく、スピーカを内蔵したあらゆる情報機器に適用できる。
【００２９】
図５は情報機器の第２の実施形態を示し、第１の筐体としての本体部３１の一端側における幅方向の中間部に枢支部３２が設けられている。この枢支部３２には第２の筐体としての表示部３３が反転自在に連結されている。従って、本体部３１に対して枢支部３２を支点として表示部３３を反転させることにより、表示部３３の一方の面としての表面３３ａを本体部３１に重ねる（第１の形態）こともでき、他方の面としての裏面３３ｂを本体部３１に重ねる（第２の形態）こともできる。
【００３０】
このように構成された情報機器においても、本体部３１に枢支部３２を中心として左右対称的にスピーカ３４及び第１の開口部としての第１の開口孔３５を配置する。また、表示部３３に枢支部３２を中心として左右対称的に第２の開口部としての第２の開口孔３６と第３の開口部としての第３の開口孔３７を設ける。
【００３１】
このような情報機器によれば、表示部３３を第１の形態、第２の形態のいずれにおいても、第１の開口孔３５に対して第２の開口孔３６及び第３の開口孔３７を一直線上に対向させることができる。従って、第１の開口孔３５から第３の開口孔３７まで途中に障害物が存在しないため、スピーカ３４から出力される音声が障害物に反射されることはなく、良質なスピーカの音を楽しむことができる。
【００３２】
また、前記第１及び第２の実施形態においては、本体部と表示部とをヒンジまたは枢支部によって開閉または反転可能に連結した情報機器について説明したが、表示部を有さないシステム回路基板等を内蔵した筐体同士をヒンジまたは枢支部によって開閉または反転可能に連結した情報機器にも適用できる。
【００３３】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３４】
【図１】この発明の第１の実施形態を示し、ポータブルコンピュータのディスプレイハウジングを開いた状態の斜視図。
【図２】同実施形態のポータブルコンピュータのディスプレイハウジングを閉じた状態の斜視図。
【図３】同実施形態を示し、図３は図１のＡ部を拡大し、ＬＣＤマスクを取り除いた状態の斜視図。
【図４】同実施形態を示し、図２のＢ−Ｂ線に沿う断面図。
【図５】この発明の第２の実施形態を示し、情報機器の斜視図。
【符号の説明】
【００３５】
１…ポータブルコンピュータ、２…コンピュータ本体、３…ヒンジ、４…ディスプレイユニット、１３…スピーカ、１５…第１の開口孔、２０…第２の開口孔、２４…第３の開口孔
【図１】
2005100043.tif 000003
【図２】
2005100043.tif 000004
【図３】
2005100043.tif 000005
【図４】
2005100043.tif 000006
【図５】
2005100043.tif 000007